(57)【要約】【課題】極めて簡単な機構で天板の傾斜角度を調整可能とし、冬期にはこたつの櫓代わりに使用できる机を提供する。【解決手段】背面部、両側面部、上面部および前面部を有する箱型の机本体と、該背面部に上下方向に沿って取り付けられた左右一対の摺動ガイドレールと、該摺動ガイドレールに嵌合し上下方向に摺動する摺動板と、該机本体の上面に載置され背面部側を回動中心として回動自在に該摺動板の上部に軸着された天板と、からなり、該摺動板が該摺動ガイドレールの所望の位置で固定されて該天板は該机本体に対して所望の傾斜角度で載置される構成とし、背面部、両側面部および上面部を壁面とした。【選択図】図１
0003149480.tif 000002
【実用新案登録請求の範囲】
【請求項１】
背面部、両側面部および前面部を有する箱型の机本体と、
該背面部の表面に上下方向に沿って取り付けられた左右一対の摺動ガイドレールと、
該摺動ガイドレールに嵌合し上下方向に摺動する摺動板と、
該机本体の上面に載置され背面部側を回動中心として回動自在に該摺動板の上部に軸着された天板と、からなり、
該摺動板が該摺動ガイドレールの所望の位置で固定されて該天板は該机本体に対して所望の傾斜角度で載置される、ことを特徴とする天板の傾斜角度調整機能を有する机。
【請求項２】
前記摺動ガイドレールは上下方向に移動可能である、ことを特徴とする請求項1に記載の天板の傾斜角度調整機能を有する机。
【請求項３】
前記摺動ガイドレールと前記摺動板との嵌合手段は、該摺動板に貫設された縦長の貫通孔と、該摺動ガイドレールから突設され該貫通孔を貫通する上下に２本の頭付きガイドピンと、からなり、
２本の該頭付きガイドピンの内少なくとも１本は該摺動ガイドレールに螺入された締付けボルトであってさらに螺入されることにより該摺動板が該摺動ガイドレールに所望の位置で押圧されて固定される、ことを特徴とする請求項1または請求項２に記載の天板の傾斜角度調整機能を有する机。
【請求項４】
前記摺動ガイドレールと前記摺動板との嵌合手段は、該摺動板に貫設された縦長の貫通孔と、該摺動ガイドレールから突設され該貫通孔を貫通する１本の締付けボルトと、該摺動板の下端部の動きを拘束する押さえ具と、からなり、
該締付けボルトがさらに螺入されることにより該摺動板が該摺動ガイドレールに押圧されるとともに、該押さえ具により該摺動板が該摺動ガイドレールに所望の位置で固定される、ことを特徴とする請求項1または請求項２に記載の天板の傾斜角度調整機能を有する机。
【請求項５】
前記摺動ガイドレールと前記摺動板との嵌合手段は、一対の該摺動ガイドレールの対向する方向に向けて凹設された摺動ガイド溝または一対の該摺動ガイドレールの対向する方向とは反対の方向に向けて凹設された摺動ガイド溝と、該摺動板の側面に設置された該摺動ガイド溝に嵌合する嵌合溝と、該摺動板に貫設された縦長の貫通孔と、該摺動ガイドレールから突設され該貫通孔を貫通する１本の締付けボルトと、からなり、
該締付けボルトがさらに螺入されることにより該摺動板が該摺動ガイドレールに押圧されて所望の位置で固定される、ことを特徴とする請求項1または請求項２に記載の天板の傾斜角度調整機能を有する机。
【請求項６】
前記摺動ガイドレールと前記摺動板との嵌合手段は、該摺動板を囲繞しその表面に貫設された縦長の貫通孔を有する摺動ガイドレールと、該摺動板から突設され該貫通孔を貫通する締付けボルトと、からなり、
該締付けボルトがさらに螺入されることにより該摺動板が該摺動ガイドレールに所望の位置で押圧されて固定される、ことを特徴とする請求項1または請求項２に記載の天板の傾斜角度調整機能を有する机。
【請求項７】
前記摺動板および前記天板は、蝶番を介して連結されることにより軸着され、または該摺動板を貫通する貫通ピンが該天板に固定されることにより軸着される、ことを特徴とする請求項1または請求項２に記載の天板の傾斜角度調整機能を有する机。
【請求項８】
前記机本体はその上面を被覆する上板を備え、前記天板は該上板を介して該机本体に載置される、ことを特徴とする請求項１ないし請求項７のいずれかに記載の天板の傾斜角度調整機能を有する机。
【請求項９】
前記上板は上面が開放された筐体である、ことを特徴とする請求項８に記載の天板の傾斜角度調整機能を有する机。
【請求項１０】
前記机本体は両側面部および背面部が壁面となっている、ことを特徴とする請求項８または請求項９に記載の天板の傾斜角度調整機能を有する机。
【請求項１１】
前記机本体の開放された前面部には該前面部を閉塞する上掛けが吊着される吊着具が設置されている、ことを特徴とする請求項１０に記載の天板の傾斜角度調整機能を有する机。
【考案の詳細な説明】
【技術分野】
【０００１】
本考案は傾斜した天板を具える机に関し、特に天板の角度を調整する機能を有する机に関する。
【背景技術】
【０００２】
従来の学習机はデスクワーク面となる天板が水平であり、また、水平でなく天板が傾斜している場合であっても、その傾斜角度が固定されていたため、必ずしも使用者に適したものではなかった。すなわち、水平である場合は勿論のこと、傾斜角度が使用者に適していない場合には、目の不自由な者や学生等は背中を丸めてデスクワークを強いられるため、姿勢が悪くなったり目が悪くなったりし、また、姿勢が悪い状態が継続することにより、使用者は肩こり、頭痛に悩まされる場合もあった。
【０００３】
そのため、天板の傾斜角度が調整可能な机が、特許文献１や特許文献２に開示されている。特許文献１に開示の机は「ユーザーに面した机の長いサイドのまわりで机のワークテーブルを回転させることにより、同ワークテーブルを傾斜させることができることである。かかる長いサイドの両端のピンが回転軸であり、ワークテーブルの反対側の長いサイドに丁番により取付けられ、鋸歯スロットを備えたサイドロッドが、机の脚に固定された爪とかかる鋸歯スロットとの係合により、ワークテーブルを所定の傾斜で止めることを可能にする」構成としている。また、特許文献２に開示の机は「既設の机を改良して傾斜板を設け傾斜角度を調整できるように傾斜板の裏面に低角度には低角度用支柱と低角度用に切り目を付けた低角度用ストッパを、急な傾斜には急角度用支柱と急角度用に切り目を付けた急角度用ストッパを設け、傾斜板が水平に止まるように傾斜板止めを設け、また書類が滑らないように傾斜台の角度を上げると傾斜板の手前の部分が机面より下がるようにした書類止めを設ける」構成としている。
【先行技術文献】
【特許文献】
【０００４】
【特許文献１】特表２００１−５２７４３４号公報
【特許文献２】特開２００３−３２５２３５号公報
【考案の概要】
【考案が解決しようとする課題】
【０００５】
しかしながら、特許文献１や特許文献２に開示の天板の傾斜角度が調整可能な机は、天板の前面側（手前側）が軸着されていて、天板を上に開くことができず、上に開くことができないが故に、例えば、冬期に机全体を上掛けで包んで足下を暖めるようなことはできない。
【０００６】
そこで、本発明は、極めて簡単な機構で天板の傾斜角度を調整可能とし、冬期にはこたつの櫓代わりに使用できる机を提供することを課題とする。
【課題を解決するための手段】
【０００７】
上記課題を解決するために、本願請求項１に係る天板の傾斜角度調整機能を有する机は、背面部、両側面部および前面部を有する箱型の机本体と、該背面部の表面に上下方向に沿って取り付けられた左右一対の摺動ガイドレールと、該摺動ガイドレールに嵌合し上下方向に摺動する摺動板と、該机本体の上面に載置され背面部側を回動中心として回動自在に該摺動板の上部に軸着された天板と、からなり、該摺動板が該摺動ガイドレールの所望の位置で固定されて該天板は該机本体に対して所望の傾斜角度で載置される、ことを特徴としている。なお、箱型の机本体とは、箱型の直方体であって、フレームのみで形成されていても良く、使用者が使用時に足を入れる足入れ部となる前面部を除く他の面が壁等で閉塞されていても良い。また、背面部の左右とは上下方向に直交する方向をいい、背面部の表面とは、机本体の外側となる面をいう。
また、本願請求項２に係る天板の傾斜角度調整機能を有する机は、請求項1に記載の天板の傾斜角度調整機能を有する机であって、前記摺動ガイドレールは上下方向に移動可能である、ことを特徴としている。
そして、本願請求項３に係る天板の傾斜角度調整機能を有する机は、請求項1または請求項２に記載の天板の傾斜角度調整機能を有する机であって、前記摺動ガイドレールと前記摺動板との嵌合手段は、該摺動板に貫設された縦長の貫通孔と、該摺動ガイドレールから突設され該貫通孔を貫通する上下に２本の頭付きガイドピンと、からなり、２本の該頭付きガイドピンの内少なくとも１本は該摺動ガイドレールに螺入された締付けボルトであってさらに螺入されることにより該摺動板が該摺動ガイドレールに所望の位置で押圧されて固定される、ことを特徴としている。
さらに、本願請求項４に係る天板の傾斜角度調整機能を有する机は、請求項1または請求項２に記載の天板の傾斜角度調整機能を有する机であって、前記摺動ガイドレールと前記摺動板との嵌合手段は、該摺動板に貫設された縦長の貫通孔と、該摺動ガイドレールから突設され該貫通孔を貫通する１本の締付けボルトと、該摺動板の下端部の動きを拘束する押さえ具と、からなり、該締付けボルトがさらに螺入されることにより該摺動板が該摺動ガイドレールに押圧されるとともに、該押さえ具により該摺動板が該摺動ガイドレールに所望の位置で固定される、ことを特徴としている。なお、直交方向とは、背面部から離れる方向をいう。
また、本願請求項５に係る天板の傾斜角度調整機能を有する机は、請求項1または請求項２に記載の天板の傾斜角度調整機能を有する机であって、前記摺動ガイドレールと前記摺動板との嵌合手段は、一対の該摺動ガイドレールの対向する方向に向けて凹設された摺動ガイド溝または一対の該摺動ガイドレールの対向する方向とは反対の方向に向けて凹設された摺動ガイド溝と、該摺動板の側面に設置された該摺動ガイド溝に嵌合する嵌合溝と、該摺動板に貫設された縦長の貫通孔と、該摺動ガイドレールから突設され該貫通孔を貫通する１本の締付けボルトと、からなり、該締付けボルトがさらに螺入されることにより該摺動板が該摺動ガイドレールに押圧されて所望の位置で固定される、ことを特徴としている。
そして、本願請求項６に係る天板の傾斜角度調整機能を有する机は、請求項1または請求項２に記載の天板の傾斜角度調整機能を有する机であって、前記摺動ガイドレールと前記摺動板との嵌合手段は、該摺動板を囲繞しその表面に貫設された縦長の貫通孔を有する摺動ガイドレールと、該摺動板から突設され該貫通孔を貫通する締付けボルトと、からなり、該締付けボルトがさらに螺入されることにより該摺動板が該摺動ガイドレールに所望の位置で押圧されて固定される、ことを特徴としている。
さらに、本願請求項７に係る天板の傾斜角度調整機能を有する机は、請求項1または請求項２に記載の天板の傾斜角度調整機能を有する机であって、前記摺動板および前記天板は、蝶番を介して連結されることにより軸着され、または該摺動板を貫通する貫通ピンが該天板に固定されることにより軸着される、ことを特徴としている。
また、本願請求項８に係る天板の傾斜角度調整機能を有する机は、請求項1ないし請求項７のいずれかに記載の天板の傾斜角度調整機能を有する机であって、前記机本体はその上面を被覆する上板を備え、前記天板は該上板を介して該机本体に載置される、ことを特徴としている。
そして、本願請求項９に係る天板の傾斜角度調整機能を有する机は、請求項８に記載の天板の傾斜角度調整機能を有する机であって、前記上板は上面が開放された筐体である、ことを特徴としている。
さらに、本願請求項１０に係る天板の傾斜角度調整機能を有する机は、請求項８または請求項９に記載の天板の傾斜角度調整機能を有する机であって、前記机本体は両側面部および背面部が壁面となっている、ことを特徴としている。
また、本願請求項１１に係る天板の傾斜角度調整機能を有する机は、請求項９に記載の天板の傾斜角度調整機能を有する机であって、前記机本体の開放された前面部には該前面部を閉塞する上掛けが吊着される吊着具が設置されている、ことを特徴としている。
【考案の効果】
【０００８】
上記の解決手段により本考案の天板の傾斜角度調整機能を有する机は、以下の効果を奏する。
（１）本考案は背面部の表面に取り付けられた左右一対の摺動ガイドレールと、該摺動ガイドレールに嵌合し上下方向に摺動する摺動板と、摺動板の上部に軸着された天板と、から構成することにより、該天板は背面部側を回動中心として机本体に対して所望の傾斜角度で載置されるようになっている。このため、極めて簡単な構成であることから、廉価に製造することができ、メンテナンスも簡単であり、また、背面部側が回動中心であることから、天板を上に開くことができ、冬期に机全体を上掛けで包んで足下を暖めるようなことも可能となる。
（２）摺動ガイドレールを着脱自在とし、上下方向に移動可能とすることにより、天板の傾斜角度を例えば、４０°超の大きな角度にすることができるばかりでなく、摺動ガイドレールを下げることにより、天板を垂直に回動して背面部の後ろに収納することが可能となる。なお、天板の傾斜角度とは水平面に対する天板の仰角をいう。
（３）摺動ガイドレールと摺動板との嵌合手段は、該摺動板に貫設された縦長の貫通孔と、該摺動ガイドレールから突設される上下に２本の頭付きガイドピン（その内１本は締付けボルト）と、から構成し、締付けボルトをさらに締め付けることにより固定することで、摺動板は任意の位置で机本体に固定されるから、天板の傾斜角度を微妙に調整することができる。なお、締付けボルトを、頭部がノブの形をしているノブボルトを使用することにより、天板の傾斜角度調整作業がやり易くなる。
また、摺動ガイドレールと摺動板との嵌合手段を、摺動板に貫設された縦長の貫通孔と、該摺動ガイドレールから突設される１本の締付けボルトと、該摺動板の下端部の動きを拘束する押さえ具と、から構成した場合、一対の摺動ガイドレールに凹設された摺動ガイド溝と、摺動板の側面に設置された嵌合溝と、摺動板に貫設された縦長の貫通孔と、摺動ガイドレールから突設される１本の締付けボルトと、から構成した場合、あるいは、摺動板を囲繞する摺動ガイドレールの表面に貫設された縦長の貫通孔と、該摺動板から突設される１本の締付けボルトと、から構成した場合も、上記と同様の効果を奏する。
（４）机本体の上面を上板で覆い、両側面部および背面部が壁面とすることにより、使用者が足を入れる足入れ空間は前面部を除いて閉塞されるから、前面部のみを上掛け等で覆えば、簡単にこたつの櫓代わりに使用できる。
（５）また、上板を上面が開放された筐体とすることにより、筐体部分を物入れとして利用することができる。
【図面の簡単な説明】
【０００９】
【図１】図１は実施例１に係る天板の傾斜角度調整機能を有する机の説明図であり、図１（Ａ）は裏正面図、図１（Ｂ）は側面図である。
【図２】図２は実施例２に係る天板の傾斜角度調整機能を有する机の説明図であり、図２（Ａ）は裏正面図、図２（Ｂ）は側面図である。
【図３】図３は実施例３に係る天板の傾斜角度調整機能を有する机の説明図であり、図３（Ａ）は裏正面図、図３（Ｂ）は側面図である。
【図４】図４は図３におけるＩＶ矢視断面詳細である。
【考案を実施するための形態】
【００１０】
図１ないし図４において、符号１は実施例１に係る天板の傾斜角度調整機能を有する机、符号２は実施例２に係る天板の傾斜角度調整機能を有する机、符号３は実施例３に係る天板の傾斜角度調整機能を有する机、符号１０は机本体、符号１１は背面部、符号１３は側面部、符号１５は上板、符号２１は天板、符号２３は蝶番、符号２５は貫通ピン、符号３１は摺動板、符号３３は貫通孔、符号３５は摺動ガイドレール、符号３７はガイド溝、符号３９は嵌合溝、符号４１は頭付きガイドピン、符号４３は締付けボルト、符号４５は押さえ具、である。
【実施例１】
【００１１】
まず、実施例１について、主に図１を基に説明する。
天板の傾斜角度調整機能を有する机１は、机本体１０と、背面部１３に取り付けられた左右に一対の縦長で板状の摺動ガイドレール３５と、摺動ガイドレール３５上に突設される頭付きガイドピン４１および締付けボルト４３と、摺動ガイドレール３５上を上下方向に摺動する摺動板３１と、机本体１０の上面に載置され背面部側を回動中心として回動自在に摺動板３１の上部に軸着された矩形の天板２１と、から構成されている。
【００１２】
机本体１０は背面部１１、両側面部１３、前面部および上板１５により箱型に形成され、上板１５は上面が開放された筐体となっていて、物入れとなる空間が形成されている。なお、実施例では、両側面部１３および背面部１１が壁面となっている。
【００１３】
そして、実施例１における摺動板３１は略矩形の一対の板がその上部で連結された門型となっていて、左右の辺縁近傍にはそれぞれ上下方向に縦長の貫通孔３３が貫設されている。そして、摺動板３１の上辺と略矩形の天板２１の一辺は一対の蝶番２３を介して回動自在に連結され、天板２１の前面部側は机本体１０に載置されるようになっている。
【００１４】
摺動ガイドレール３５と摺動板３１とは、摺動ガイドレール３５上に突設される頭付きガイドピン４１および締付けボルト４３が摺動板３１に貫設された貫通孔３３を貫通することにより嵌合していて、頭付きガイドピン４１および締付けボルト４３に案内されて摺動板３１が摺動ガイドレール３５に沿って上下方向に摺動する。そして、締付けボルト４３は背面部１１に螺挿されていて、背面部１１に対する所望の位置に摺動板３１を摺動させて締付けボルト４３をさらに螺入させることにより、背面部１１に摺動板３１を押圧されて固定される。なお、頭付きガイドピン４１に代えて締付けボルト４３としても良いことは勿論である。
【００１５】
摺動ガイドレール３５は背面部１１に対して着脱自在となっていて、上下方向にスライドできるように構成されている。実施例では、摺動ガイドレール３５は背面部１１に螺着しているが、嵌着、係着あるいは掛着するようにしても良い。なお、摺動ガイドレール３５を壁面となった背面部１１と一体とすることができることは勿論であるが、この場合は、着脱自在とはならない。
【００１６】
ここで、天板の傾斜角度調整機能を有する机１の使用例について説明する。
（１）２本の締付けボルト４３を緩めて摺動板３１を摺動可能とする。
（２）摺動板３１を上下方向に摺動させて、天板２１が所望の傾斜角度となったところで、２本の締付けボルト４３を締めて固定する。
以上の手順により、天板２１を所望の傾斜角度とすることができる。
【００１７】
天板２１は蝶番２３により背面部側を軸として回動可能であるので、使用時には天板２１を上に開くことができ、筐体となっている上板１５を筆記具等の収納空間として使用することができる。また、天板の傾斜角度調整機能を有する机１は、足入れ空間が背面部１１、両側面部１３および上板１５の壁面に囲繞されているため、開放されている前面部の上部に取り付けられた図示外の吊着具から上掛けを吊着することにより足入れ空間が密閉され、該空間内に暖房器を設置することによりこたつ代わりに使用できる。なお、吊着具には、例えば、カーテンレール、フック、面ファスナー等のような既知のものを使用することができる。
【００１８】
なお、摺動板３１の形状を門型としないで略矩形の一対の板状として、その両脇を挟むように摺動ガイドレール３５の両側に立ち上がり部を設置して断面をコの字状とすることもできる。また、摺動板３１の両側面に溝を凹設し、この溝に摺動ガイドレール３５の両側に設置した立ち上がり部を嵌合するように構成することもできる。さらには、摺動ガイドレール３５の形状を、摺動板３１を囲繞するようにロの字状に構成することもできるが、この場合、縦長の貫通孔３３は、摺動ガイドレール３５の表面に貫設される。
【実施例２】
【００１９】
つぎに、実施例２について、主に図２を基に説明するが、実施例１の説明と重複する部分については、その説明を省略する。
天板の傾斜角度調整機能を有する机２は、机本体１０と、背面部１３に取り付けられた左右に一対の縦長で板状の摺動ガイドレール３５と、摺動ガイドレール３５上に突設される締付けボルト４３と、摺動ガイドレール３５上を上下方向に摺動する摺動板３１と、机本体１０の上面に載置され背面部側を回動中心として回動自在に摺動板３１の上部に軸着された矩形の天板２１と、角棒状の押さえ具４５と、から構成されている。なお、机本体１０の構成、摺動板３１の形状および天板２１の軸着手段については、天板の傾斜角度調整機能を有する机１と同様であるので、その説明を省略する。
【００２０】
摺動ガイドレール３５と摺動板３１とは、摺動ガイドレール３５上に突設される締付けボルト４３が摺動板３１に貫設された貫通孔３３を貫通することにより嵌合していて、締付けボルト４３に案内されて摺動板３１が背面部１１に沿って上下方向に摺動する。そして、締付けボルト４３は背面部１１に螺挿されていて、背面部１１に対する所望の位置に摺動板３１を摺動させて締付けボルト４３をさらに螺入させることにより、背面部１１に摺動板３１が押圧され、さらに、摺動板３１の下端部に押さえ具４５を当接させて螺着することにより、摺動板３１は摺動ガイドレール３５に強固に固定される。なお、押さえ具４５を断面がクランク形状の金具としても良い。
【００２１】
なお、摺動ガイドレール３５は背面部１１に対して着脱自在となっていて、上下方向にスライドできるように構成されている、ことは、実施例１と同様である。また、天板の傾斜角度調整機能を有する机２の使用例については、天板の傾斜角度調整機能を有する机１と同様であるので、その説明を省略する。
【実施例３】
【００２２】
つぎに、実施例３について、主に図３および図４を基に説明するが、実施例１の説明と重複する部分については、その説明を省略する。
天板の傾斜角度調整機能を有する机３は、机本体１０と、背面部１３に取り付けられた左右に一対の縦長で板状の摺動ガイドレール３５と、摺動ガイドレール３５上に突設される締付けボルト４３と、摺動ガイドレール３５に案内されて上下方向に摺動する摺動板３１と、机本体１０の上面に載置され背面部側を回動中心として回動自在に摺動板３１の上部に軸着された矩形の天板２１と、から構成されている。なお、机本体１０の構成については、天板の傾斜角度調整機能を有する机１と同様であるので、その説明を省略する。
【００２３】
実施例３における摺動ガイドレール３５は、背面部１１に接する底板と、この底板から立設しその先端を背面部１１の中心部方向にＬ字状に折り曲げた側面板と、から構成されていて、断面がコの字状あるいはユの字状のガイド溝３７が形成されている。
【００２４】
摺動板３１は正面から見た形状が縦長の矩形であって、その中央部には上下方向に貫通孔３３が貫設されている。そして、摺動板３１の背面部１１側には断面がＬ字状の突設部が帯状に取り付けられていて、Ｌ字状の突設部により嵌合溝３９が形成されている。この嵌合溝３９がガイド溝３７に嵌合し、さらに、摺動ガイドレール３５の表面に突設された締付けボルト４３が摺動板３１に貫設された貫通孔３３を貫通することにより、摺動板３１が摺動ガイドレール３５に案内されて上下方向に摺動するようになっている。
そして、摺動ガイドレール３５に対する所望の位置に摺動板３１を摺動させて締付けボルト４３をさらに螺入させることにより、摺動ガイドレール３５に摺動板３１が押圧されて固定される。
【００２５】
また、摺動板３１の上辺と略矩形の天板２１の一辺は貫通ピン２５を介して回動自在に連結され、天板２１の前面部側は机本体１０に載置されるようになっている。
【００２６】
摺動ガイドレール３５は背面部１１に対して着脱自在となっていて、上下方向にスライドできるように構成されている、ことは、実施例１あるいは実施例２と同様である。また、天板の傾斜角度調整機能を有する机３の使用例については、天板の傾斜角度調整機能を有する机１と同様であるので、その説明を省略する。
また、実施例１と同様に、摺動ガイドレール３５を壁面となった背面部１１と一体とすることができることは勿論であるが、この場合は、着脱自在とはならない。
【００２７】
なお、実施例３に係る摺動板３１の形状を、実施例１および実施例２に使用する摺動板３１の形状とすることが可能であり、逆に、実施例１および実施例２に係る摺動板３１の形状を実施例３に係る摺動板３１の形状とすることもできる。さらに、軸着手段についても、実施例３と実施例１および実施例２とを入れ替えることも可能である。
【符号の説明】
【００２８】
１    実施例１に係る天板の傾斜角度調整機能を有する机
２    実施例２に係る天板の傾斜角度調整機能を有する机
３    実施例３に係る天板の傾斜角度調整機能を有する机
１０    机本体
１１    背面部
１３    側面部
１５    上板
２１    天板
２３    蝶番
２５    貫通ピン
３１    摺動板
３３    貫通孔
３５    摺動ガイドレール
３７    ガイド溝
３９    嵌合溝
４１    頭付きガイドピン
４３    締付けボルト
４５    押さえ具
【図１】
0003149480.tif 000003
【図２】
0003149480.tif 000004
【図３】
0003149480.tif 000005
【図４】
0003149480.tif 000006